(57)【要約】【課題】使い勝手を向上可能な撮像装置を提供する。【解決手段】撮像装置は、操作されることにより第１信号を出力する第１の操作部と、操作されることにより前記第１信号と異なる第２信号を出力する第２の操作部と、複数の機能を制御可能であり、前記第１信号に基づいて前記複数の機能のうち第１機能を制御し、前記第２信号に基づいて前記複数の機能のうち第２機能を制御する制御部とを備え、前記制御部は、前記第１信号が出力されると、前記第２信号に基づいて、前記複数の機能のうち前記第１機能および前記第２機能とは異なる第３機能を制御する。【選択図】図２
2020140019.tif 000002
【特許請求の範囲】
【請求項１】
操作されることにより第１信号を出力する第１の操作部と、
操作されることにより前記第１信号と異なる第２信号を出力する第２の操作部と、
複数の機能を制御可能であり、前記第１信号に基づいて前記複数の機能のうち第１機能を制御し、前記第２信号に基づいて前記複数の機能のうち第２機能を制御する制御部とを備え、
前記制御部は、前記第１信号が出力されると、前記第２信号に基づいて、前記複数の機能のうち前記第１機能および前記第２機能とは異なる第３機能を制御する撮像装置。
【請求項２】
請求項１に記載の撮像装置において、
前記第３機能は、前記第２機能に関連する機能である撮像装置。
【請求項３】
請求項１または請求項２に記載の撮像装置において、
前記制御部は、前記第１機能に関連する機能を前記第３機能として制御する撮像装置。
【請求項４】
請求項１から請求項３のいずれか一項に記載の撮像装置において、
前記制御部は、前記第３機能として複数の機能を選択可能であり、前記第２の操作部の操作方向に基づいて前記第３機能を選択する撮像装置。
【請求項５】
請求項４に記載の撮像装置において、
前記第２機能は、前記撮像装置の撮像感度の選択を行う機能であり、
前記制御部は、前記第２の操作部の操作方向により、前記第３機能を前記撮像感度の自動調整に変更する撮像装置。
【請求項６】
請求項５に記載の撮像装置において、
前記制御部は、前記撮像感度の自動調整を実行している場合は、前記第２の操作部の操作に基づいて前記撮像感度の調整範囲を変更し、前記撮像感度の自動調整を実行していない場合は、前記第２の操作部の操作に基づいて前記撮像感度を変更する撮像装置。
【請求項７】
請求項３に記載の撮像装置において、
前記第１機能は前記撮像装置の露出に関する機能であり、前記第３機能は前記第１機能に関する機能である撮像装置。
【請求項８】
請求項１から請求項７のいずれか一項に記載の撮像装置において、
前記制御部は、前記第２の操作部の操作によって前記第３機能を制御した後に前記第２の操作部の操作が行われると、前記第２の操作部の操作によって前記第２機能を制御する撮像装置。
【請求項９】
請求項１から請求項８のいずれか一項に記載の撮像装置において、
前記第１の操作部は、前記撮像装置のレリーズスイッチであり、
前記第２の操作部は、前記撮像装置に設けられる鏡筒に設けられた回転部材である撮像装置。
【発明の詳細な説明】
【技術分野】
【０００１】
本発明は、撮像装置に関する。
【背景技術】
【０００２】
オートフォーカス動作により被写体に合焦した後、半押し操作を維持している間にフォーカスリングの操作を受け付けると、合焦位置を含む画像領域を拡大表示するカメラが知られている（特許文献１）。しかし、このカメラでは、フォーカスリングの使い勝手が悪い。
【先行技術文献】
【特許文献】
【０００３】
【特許文献１】特開２０１０-１４１７６７号公報
【発明の概要】
【０００４】
第１の態様によると、撮像装置は、操作されることにより第１信号を出力する第１の操作部と、操作されることにより前記第１信号と異なる第２信号を出力する第２の操作部と、複数の機能を制御可能であり、前記第１信号に基づいて前記複数の機能のうち第１機能を制御し、前記第２信号に基づいて前記複数の機能のうち第２機能を制御する制御部とを備え、前記制御部は、前記第１信号が出力されると、前記第２信号に基づいて、前記複数の機能のうち前記第１機能および前記第２機能とは異なる第３機能を制御する。
【図面の簡単な説明】
【０００５】
【図１】第１の実施の形態に係る撮像装置を示す図である。
【図２】第１の実施の形態に係る撮像装置の構成例を示す図である。
【図３】第１の実施の形態に係る撮像装置の動作例を説明するための図である。
【図４】第１の実施の形態に係る撮像装置の表示部により表示される画像を示す図である。
【発明を実施するための形態】
【０００６】
（第１の実施の形態）
図１は、第１の実施の形態に係る撮像装置の一例であるカメラ１を示す模式図である。カメラ１は、カメラボディ２と、カメラボディ２に取り付け可能なアクセサリであるレンズ部３とを有する。レンズ部３は、交換レンズである。なお、カメラ１は、カメラボディ２とレンズ部３とが一体的に構成されたカメラであってもよい。カメラ１をカメラシステムと称することもある。
【０００７】
レンズ部３は、ユーザによる操作を受け付けるレンズ側操作部３４を有する。レンズ側操作部３４は、レンズ部３の鏡筒の外周面に設けられる操作部材３５と、検出部３６とを含む。操作部材３５は、レンズ部３の鏡筒の周りを回転可能な環状の操作部材（操作環）であり、コントロールリング（ＣＴＬリング）とも称される。なお、操作部材３５は、他の形状の部材であってもよく、ユーザにクリック感を与える部材であってもよい。操作部材３５は、スイッチ（ボタン）やレバー等の操作部材であってもよい。
検出部３６は、エンコーダを有し、操作部材３５に対する操作（操作量、回転角度、操作方向等）を検出する。検出部３６は、操作部材３５の操作に応じた信号（レンズ側操作信号）を生成する。レンズ側操作部３４は、生成されたレンズ側操作信号を、後述するレンズ制御部３２（図２参照）に出力する。
【０００８】
（全体構成）
図２は、第１の実施の形態に係るカメラ１の構成例を示す図である。カメラボディ２には、レンズ部３が取り付けられるボディ側マウント部２０１が設けられる。レンズ部３には、カメラボディ２に取り付けられるレンズ側マウント部３０１が設けられる。レンズ側マウント部３０１及びボディ側マウント部２０１には、それぞれレンズ側接続部３０２、ボディ側接続部２０２が設けられる。レンズ側接続部３０２及びボディ側接続部２０２には、それぞれクロック信号用の端子やデータ信号用の端子、電源供給用の端子等の複数の端子が設けられている。レンズ部３は、レンズ側マウント部３０１及びボディ側マウント部２０１により、カメラボディ２に着脱可能に装着される。
【０００９】
カメラボディ２にレンズ部３が装着されると、ボディ側接続部２０２に設けられた複数の端子とレンズ側接続部３０２に設けられた複数の端子とが、それぞれ電気的に接続される。これにより、カメラボディ２からレンズ部３への電力供給や、カメラボディ２及びレンズ部３間の通信が可能となる。
【００１０】
（レンズ部３）
レンズ部３は、撮影光学系（結像光学系）３１と、レンズ制御部３２と、レンズメモリ３３と、上述したレンズ側操作部３４（図１参照）とを備える。撮影光学系３１は、焦点距離を変更するズームレンズ（変倍レンズ）３１ａ及びフォーカスレンズ（焦点調節レンズ）３１ｂを含む複数のレンズと、絞り（開口絞り）３１ｃとを含み、カメラボディ２の撮像素子２２の撮像面に被写体像を形成する。なお、図２では、ズームレンズ３１ａとフォーカスレンズ３１ｂとを模式的に図示したが、通常の撮影光学系は、一般に多数の光学素子から構成される。
【００１１】
レンズ制御部３２は、ＣＰＵやＦＰＧＡ、ＡＳＩＣ等のプロセッサ、及びＲＯＭやＲＡＭ等のメモリによって構成され、制御プログラムに基づいてレンズ部３の各部を制御する。また、レンズ制御部３２は、レンズ側接続部３０２及びボディ側接続部２０２の端子を介して、カメラボディ２とレンズ部３との間で双方向に情報を送受信する通信を行う。
【００１２】
レンズ制御部３２は、カメラボディ２のボディ制御部２１から出力される信号に基づき、ズームレンズ３１ａ、フォーカスレンズ３１ｂ、及び絞り３１ｃの駆動を制御する。レンズ制御部３２は、ボディ制御部２１からフォーカスレンズ３１ｂの移動方向及び移動量に関する信号が入力されると、その信号に基づいてフォーカスレンズ３１ｂを光軸Ｌ方向に進退移動させて撮影光学系３１の焦点位置を調節する。また、レンズ制御部３２は、ボディ制御部２１から出力される信号に基づき、ズームレンズ３１ａの位置及び絞り３１ｃの開口径を制御する。
【００１３】
また、レンズ制御部３２は、ズームレンズ３１ａの光軸Ｌ方向の位置と、フォーカスレンズ３１ｂの光軸Ｌ方向の位置と、絞り３１ｃの開口径とを検出する。レンズ制御部３２は、ズームレンズ３１ａの位置に関する情報、フォーカスレンズ３１ｂの位置に関する情報、絞り３１ｃの絞り値（Ｆ値）の情報などをボディ制御部２１に送信する。
【００１４】
レンズメモリ３３は、不揮発性の記憶媒体等により構成される。レンズメモリ３３には、レンズ部３に関連する情報が記憶（記録）される。レンズメモリ３３には、フォーカスレンズ３１ｂの無限遠位置や至近位置に関するデータ、レンズ部３の最短焦点距離と最長焦点距離に関するデータ、Ｆ値（絞り３１ｃの絞り値）に関するデータ等が記憶される。レンズメモリ３３へのデータの書き込み、及びレンズメモリ３３からのデータの読み出しは、レンズ制御部３２によって制御される。
【００１５】
レンズ制御部３２は、レンズ側操作部３４（図１参照）から出力されるレンズ側操作信号に基づいて、操作部材３５の操作量（移動量）及び操作方向（移動方向）を算出する。本実施の形態では、レンズ制御部３２は、レンズ側操作部３４から出力されるレンズ側操作信号に基づき、操作部材３５の回転量及び回転方向を検出する。レンズ制御部３２は、検出した操作部材３５の回転量及び回転方向に関する信号を、ボディ制御部２１に送信する。なお、ボディ制御部２１が、レンズ制御部３２からレンズ側操作信号を受信し、受信したレンズ側操作信号に基づいて操作部材３５の操作量（回転量）及び操作方向（回転方向）を算出するようにしてもよい。
【００１６】
（カメラボディ２）
次に、カメラボディ２の構成について説明する。カメラボディ２は、ボディ制御部２１と、撮像素子２２と、ボディメモリ２３と、表示部２４と、操作部２５と、操作部２６とを備える。撮像素子２２は、ＣＭＯＳイメージセンサである。撮像素子２２は、撮影光学系３１を通過した光束を受光して、被写体像を撮像する。撮像素子２２には、光電変換部を有する複数の画素が二次元状（行方向及び列方向）に配置される。光電変換部は、フォトダイオード（ＰＤ）によって構成される。撮像素子２２は、受光した光を光電変換して信号を生成し、生成した信号をボディ制御部２１に出力する。
【００１７】
撮像素子２２は、画像生成に用いる信号を出力する撮像画素と、焦点検出に用いる信号を出力するＡＦ画素（焦点検出画素）とを有する。ＡＦ画素は、撮像画素の一部を置換して配置され、撮像素子２２の撮像面のほぼ全面に分散して配置される。なお、撮像素子２２は、ＣＣＤイメージセンサであってもよい。
【００１８】
ボディメモリ２３は、不揮発性の記憶媒体等により構成される。ボディメモリ２３には、画像データ及び制御プログラム等が記憶される。ボディメモリ２３へのデータの書き込み、及びボディメモリ２３からのデータの読み出しは、ボディ制御部２１によって制御される。
【００１９】
表示部２４は、タッチパネル付きディスプレイである。このディスプレイは、液晶ディスプレイあるいは有機ＥＬディスプレイ等である。表示部２４は、被写体のスルー画像（ライブビュー画像）、ボディメモリ２３に記憶された画像データに基づく画像、ＡＦ枠などの焦点検出領域（ＡＦエリア）を示す画像、シャッター速度や絞り値等の撮影に関する情報、及びメニュー画面等を表示する。また、表示部２４は、ユーザの指やスタイラス等による操作を受け付ける操作部としても機能する。表示部２４は、ユーザの指などによる操作を検出し、操作に基づく信号をボディ制御部２１へ出力する。
【００２０】
操作部２５は、ユーザの操作により第１の状態（半押し状態）と第２の状態（全押し状態）とに設定可能なレリーズスイッチ（レリーズＳＷ）を用いて構成され、撮影に関連する指示に用いられる。操作部（レリーズスイッチ）２５は、操作された状態に応じた信号（レリーズ操作信号）をボディ制御部２１に出力する。
【００２１】
操作部２６は、各種の機能が割り当てられるスイッチ（ファンクションボタン）を用いて構成される。操作部（ファンクションボタン）２６が操作されると、操作部２６は、その操作に応じた信号をボディ制御部２１に出力する。また、図示は省略するが、カメラボディ２は、電源スイッチ、メニュースイッチ、決定スイッチ、各種モードを切り換えるためのスイッチ等の各種の操作部材を有し、それぞれの操作に応じた信号がボディ制御部２１に出力される。
【００２２】
ボディ制御部２１は、ＣＰＵやＦＰＧＡ、ＡＳＩＣ等のプロセッサ、及びＲＯＭやＲＡＭ等のメモリによって構成され、制御プログラムに基づいてカメラ１の各部を制御する。ボディ制御部２１は、撮像素子２２の撮像画素から出力される信号に各種の画像処理を行って画像データを生成する。なお、ボディ制御部２１は、撮像素子２２のＡＦ画素から出力される信号も用いて画像データを生成してもよい。
ボディ制御部２１は、生成した画像データ（静止画用の画像データや動画用の画像データ）をボディメモリ２３に記憶させる。画像処理には、例えば階調変換処理、色補間処理、輪郭強調処理等の画像処理が含まれる。
【００２３】
ボディ制御部２１は、撮影光学系３１の自動焦点調節（ＡＦ）に必要な焦点検出処理を行う。ボディ制御部２１は、撮像素子２２の一対のＡＦ画素（ＡＦ画素対）から出力される第１及び第２の信号を用いて、位相差検出方式によりデフォーカス量を算出する。第１及び第２の信号は、撮影光学系３１の射出瞳の第１及び第２の領域をそれぞれ通過した第１及び第２の光束による第１及び第２の像をそれぞれ撮像して生成される信号である。ボディ制御部２１は、第１の信号と第２の信号とを相関演算して、像ズレ量を算出する。ボディ制御部２１は、この像ズレ量を所定の換算式に基づきデフォーカス量に換算する。ボディ制御部２１は、算出したデフォーカス量に関する信号を、レンズ制御部３２に出力する。レンズ制御部３２は、デフォーカス量に基づきフォーカスレンズ３１ｂを駆動する。フォーカスレンズ３１ｂがデフォーカス量に応じて駆動されることにより、焦点調節が自動で行われる。
【００２４】
また、ボディ制御部２１は、位相差検出方式の焦点検出処理の代わりに、又は、それに加えて、コントラスト検出方式の焦点検出処理を行うこともできる。ボディ制御部２１は、撮影光学系３１のフォーカスレンズ３１ｂを光軸Ｌ方向に移動させながら、撮像素子２２から出力される信号に基づき被写体像の焦点評価値（コントラスト評価値）を順次算出する。ボディ制御部２１は、レンズ部３から送信されるフォーカスレンズ３１ｂの位置に関する情報を用いて、フォーカスレンズ３１ｂの位置と焦点評価値との対応付けを行う。ボディ制御部２１は、焦点評価値がピーク、すなわち極大値を示すフォーカスレンズ３１ｂの位置を合焦位置として算出する。ボディ制御部２１は、算出した合焦位置に関する信号を、レンズ制御部３２に出力する。レンズ制御部３２は、合焦位置に関する信号に基づき、フォーカスレンズ３１ｂを合焦位置に移動して焦点調節を行う。
【００２５】
ボディ制御部２１は、レリーズ操作信号に基づいてレリーズスイッチ２５の半押し操作を検知した場合、レンズ制御部３２と共にＡＦ処理を行う。ボディ制御部２１は、レリーズ操作信号に基づいてレリーズスイッチ２５の全押し操作を検知した場合には、撮像素子２２から出力される信号を用いて画像データを生成し、ボディメモリ２３に記憶させる。
【００２６】
（機能割り当て）
ボディ制御部２１は、カメラ１が有する複数の機能のうちの任意の機能をレンズ側操作部３４の機能として割り当てる。ボディ制御部２１が、操作部材３５の機能を、複数の機能のうちの任意の機能に割り当てるともいえる。これにより、ボディ制御部２１は、レンズ側操作部３４から出力されるレンズ側操作信号に基づき、複数の機能を制御することができる。ユーザは、例えばメニュースイッチや決定スイッチ等の操作部材を操作することによって、レンズ側操作部３４に割り当てる機能を選択する。ボディ制御部２１は、選択された機能とレンズ側操作部３４とを関連付ける処理を行うことにより、レンズ側操作部３４の機能を設定（変更）する。レンズ側操作部３４に割り当てられる機能としては、フォーカス調整（ピント調整）、露出補正、絞り値の変更、シャッター速度の変更、撮像感度（ＩＳＯ感度）の変更などの種々の機能が挙げられる。ユーザがカメラ１を構えた際に操作しやすい操作部材３５を操作して、様々な機能を動作させることが可能となる。
以下では、レンズ側操作部３４の機能が予めフォーカス調整（ＭＦ）機能に割り当てられている場合について説明する。
【００２７】
レンズ部３の操作部材３５が操作されるとレンズ制御部３２は、レンズ側操作部３４から出力されるレンズ側操作信号を用いて操作部材３５の回転方向及び回転量を算出する。レンズ制御部３２は、操作部材３５の回転方向及び回転量に関する信号をボディ制御部２１に出力する。なお、ボディ制御部２１がレンズ制御部３２からレンズ側操作信号を受信し、操作部材３５の回転量及び回転方向を算出するようにしてもよい。
【００２８】
ボディ制御部２１は、操作部材３５の回転方向及び回転量に関する信号に基づいてフォーカスレンズ３１ｂの移動方向及び移動量を決定し、フォーカスレンズ３１ｂの移動方向及び移動量に関する信号をレンズ制御部３２に出力する。レンズ制御部３２は、ボディ制御部２１から受信したフォーカスレンズ３１ｂの移動方向及び移動量に関する信号に基づき、フォーカスレンズ３１ｂを光軸Ｌに沿って移動させ、撮影光学系３１による被写体像の結像位置を調整する。
【００２９】
このように、レンズ側操作部３４の機能がフォーカス調整機能に割り当てられている場合、操作部材３５の操作に基づいて焦点調節が行われる。なお、上述したボディ制御部２１における演算処理をレンズ制御部３２で実行するようにしてもよい。レンズ制御部３２は、ボディ制御部２１からレンズ側操作部３４に割り当てた機能を示す情報を受信して、その受信した情報と操作部材３５の回転方向及び回転量を示す信号に基づき、フォーカスレンズ３１ｂの移動方向及び移動量を決定するようにしてもよい。この場合、レンズ制御部３２が決定したフォーカスレンズ３１ｂの移動方向及び移動量に応じて、フォーカスレンズ３１ｂの位置が変更される。
【００３０】
（機能変更：フォーカス調整機能と画像拡大機能）
ボディ制御部２１は、レリーズスイッチ２５の操作状態に基づき、操作部材３５が操作された場合に動作させる機能を変更することができる。レリーズスイッチ２５の半押し状態を示すレリーズ操作信号が出力されると、ボディ制御部２１は予め割り当てられたレンズ側操作部３４の機能（例えばフォーカス調整機能）とは異なる機能をレンズ側操作部３４から出力されるレンズ側操作信号に基づいて設定する。
【００３１】
レリーズスイッチ２５が半押し操作されてＡＦ処理を含む撮影準備の処理が行われた場合、ユーザがピントの合い具合を細かく確認したいことが考えられる。そこで本実施の形態では、ボディ制御部２１はレリーズスイッチ２５の半押し操作を検出した場合、レンズ側操作部３４にライブビュー画像の拡大表示を開始させる機能を割り当てる。ボディ制御部２１は、レンズ側操作信号に基づいて操作部材３５の回転量を把握し、その回転量に基づいて表示部２４に画像を拡大して表示させるか否かを決定する。このように本実施の形態では、レリーズスイッチ２５の半押し状態を示すレリーズ操作信号が出力されると、ボディ制御部２１はレンズ側操作部３４に予め割り当てられたフォーカス調整機能に代えて画像の拡大表示機能をレンズ側操作部３４に割り当てる。ボディ制御部２１は、レンズ側操作部３４に予め割り当てられたフォーカス調整機能に関連する機能として、画像の拡大表示機能をレンズ側操作信号に基づいて制御する。
【００３２】
ボディ制御部２１は、レリーズスイッチ２５が半押し操作された状態において操作部材３５の回転量が所定の閾値を超えた場合に、表示部２４に画像の拡大表示を開始させる。この場合、表示部２４は、ＡＦ処理によりピントが合わせられた被写体の領域を含む領域を拡大して表示する。ボディ制御部２１は、操作部材３５が所定の閾値を超えて操作された場合に画像の拡大表示機能を実行するため、誤操作によって画像の拡大表示機能が実行されることを防止することができる。上述した所定の閾値は画像の拡大表示を行うか否かを判定するための基準値となる。
【００３３】
画像の拡大表示の開始後に操作部材３５が操作されると、ボディ制御部２１は操作部材３５の操作に応じてフォーカス調整機能を実行する。ボディ制御部２１は、レンズ側操作部３４から出力されるレンズ側操作信号に基づいてフォーカスレンズ３１ｂの位置を制御する。なお、レリーズスイッチ２５の半押しが解除された場合、ボディ制御部２１は表示部２４を制御して画像の拡大表示を終了させる。
【００３４】
上述したように、本実施の形態に係るボディ制御部２１は、レリーズスイッチ２５の半押し操作が行われた場合、ＡＦ処理を行うと共にレンズ側操作部３４に割り当てる機能をフォーカス調整機能から画像の拡大表示機能に変更する。そしてボディ制御部２１は、操作部材３５が所定量操作された場合にはＡＦ処理によって焦点調節された画像を表示部２４に拡大して表示させる。これによりユーザは、ＡＦ処理後にすぐに、ＡＦ処理によってピントが合わせられた画像を詳細に観察することができる。ユーザは、所望通りにピントが合っているか否かを確認し、撮影を行うか否かやマニュアルでのフォーカス調整を行うか否かを判断することが可能となる。
【００３５】
レリーズスイッチ２５の半押し操作が続けられることにより表示部２４が画像の拡大表示を行っている状態において、レンズ側操作部３４の機能はフォーカス調整機能に割り当てられる。このためユーザは、表示部２４に拡大表示された画像を確認しながら操作部材３５の操作によってピントの調整を行うことができる。ユーザは、所望の位置に対するピントの合い具合を視認してピント合わせを行うことが可能となる。カメラ１は、操作部材３５の操作及びレリーズスイッチ２５の操作に基づいてフォーカス調整機能と画像の拡大表示機能とを行うことができ、ユーザビリティ（利便性）を向上させることができる。
【００３６】
ボディ制御部２１は、レリーズスイッチ２５の操作状態に基づき、操作部材３５が操作された場合に実行する機能をフォーカス調整機能または画像の拡大表示機能に切り換える。このため、操作部材３５の使い勝手を良くすることができる。また、ボディ制御部２１は、操作部材３５が操作された場合に画像の拡大表示機能およびフォーカス調整機能の両方が同時に実行されてしまうことを防ぐことができる。レリーズスイッチ２５の半押し操作に応じてＡＦ処理が行われた後、画像を拡大表示させようと操作部材３５を操作したときにフォーカスレンズ３１ｂの位置が変わって、せっかくのＡＦ処理が無駄となることを回避できる。
【００３７】
（動作例）
図３は、第１の実施の形態に係るカメラ１の動作例を説明するための図である。図３では、同一の時間軸に操作部（レリーズＳＷ）２５の半押し操作の有無（ＯＮ／ＯＦＦ）（図３（ａ））と、ＣＴＬリング３５の操作量（図３（ｂ））と、表示部２４における画像の拡大表示の有無（ＯＮ／ＯＦＦ）（図３（ｃ））と、ＣＴＬリング３５に割り当てられる機能（図３（ｄ））とを示している。
【００３８】
時刻ｔ０から時刻ｔ１までの期間においてはレリーズＳＷ２５は半押し操作されていない状態（ＯＦＦ状態）である。また、時刻ｔ０から時刻ｔ１までの期間ではＣＴＬリング３５の回転操作は行われていない。時刻ｔ０から時刻ｔ１までの期間では、図４（ａ）に示すように表示部２４はボディ制御部２１により繰り返し生成される画像データに基づいてライブビュー画像の表示を行う。表示部２４は、画像の拡大表示を行っていない状態（ＯＦＦ状態）である。なお、時刻ｔ０から時刻ｔ１までの期間ではＣＴＬリング３５にはフォーカス調整（ピント調整）機能が割り当てられている。
【００３９】
時刻ｔ１において、レリーズＳＷ２５の半押し操作が行われ、半押し状態を示すレリーズ操作信号がボディ制御部２１に入力される。ボディ制御部２１は、入力されたレリーズ操作信号に基づき、ＣＴＬリング３５に割り当てる機能をフォーカス調整機能から画像の拡大表示機能に切り換える。
【００４０】
レリーズＳＷ２５の半押し状態を保持したままＣＴＬリング３５の回転操作が開始され、ＣＴＬリング３５の回転量が所定の閾値となる時刻ｔ２においてボディ制御部２１は表示部２４に画像の拡大表示を開始させる。この場合表示部２４は、図４（ｂ）に示すようにＡＦ処理による焦点調節の対象の被写体の領域を含む領域４０（図４（ａ）参照）を拡大して表示する。拡大後は、ボディ制御部２１はＣＴＬリング３５に割り当てる機能を画像の拡大表示機能からフォーカス調整機能に戻す。
【００４１】
時刻ｔ２以降では、ボディ制御部２１はＣＴＬリング３５の回転量及び回転方向に基づき、フォーカスレンズ３１ｂの移動量及び移動方向を決定する。レンズ制御部３２がフォーカスレンズ３１ｂの移動方向及び移動量に応じてフォーカスレンズ３１ｂを駆動することにより、ピントの調整が行われる。表示部２４は、図４（ｃ）に示すように焦点調節された画像を表示する。
【００４２】
上述した実施の形態によれば、次の作用効果が得られる。
（１）カメラ１のボディ制御部２１は、レンズ側操作部３４の操作及び操作部２５の操作に基づいてフォーカス調整機能と画像の拡大表示機能とを変更する。このため、ユーザの使い勝手を向上させることができる。
（２）ボディ制御部２１は、操作部２５の操作状態に基づき、レンズ側操作部３４が操作された場合に実行する機能をフォーカス調整機能または画像の拡大表示機能に切り換える。このため、レンズ側操作部３４が操作された場合に画像の拡大表示機能およびフォーカス調整機能の両方が同時に実行されてしまうことを防ぐことができ、ＡＦ処理が無駄となることを回避できる。
【００４３】
次のような変形も本発明の範囲内であり、変形例の一つ、もしくは複数を上述の実施形態と組み合わせることも可能である。
【００４４】
（変形例１）
上述した実施の形態では、ボディ制御部２１は操作部（レリーズＳＷ）２５の半押し操作に基づき、レンズ側操作部３４に割り当てる機能をフォーカス調整機能と画像拡大機能の間で変更する（切り換える）例について説明した。ボディ制御部２１は、表示部２４に対する操作に基づいてレンズ側操作部３４に割り当てる機能を変更してもよい。
【００４５】
本変形例は、操作部２５の操作中にレンズ側操作部３４の操作部材３５に割り当てた機能を変更することに代えて、又はそれに加えて表示部２４の操作中に操作部材３５に割り当てた機能を変更するものである。例えばボディ制御部２１は、ユーザにより表示部２４に表示されたアイコンやＡＦ枠がタッチされた場合にＡＦ処理を行うと共に、レンズ側操作部３４（操作部材３５）に割り当てる機能をフォーカス調整機能と画像拡大機能の間で変更する。
【００４６】
本変形例のように、ボディ制御部２１は、表示部２４から出力される信号に基づき表示部２４に対してユーザの指等でタッチするタッチ操作が行われたことを検出した場合に、ＡＦ処理を行うと共にレンズ側操作部３４（操作部材３５）に割り当てる機能を画像の拡大表示機能に変更してもよい。
【００４７】
（変形例２）
ボディ制御部２１は、レンズ側操作部３４に予め割り当てられた機能とは無関係にレンズ側操作部３４の機能を操作部２５が操作された場合に実行する機能に関連する機能に変更してもよい。操作部２５の半押し操作によって実行される機能がＡＦ機能であるときに操作部２５の半押し操作が行われると、ボディ制御部２１はレンズ側操作部３４に予め割り当てられた機能とは無関係にレンズ側操作部３４に画像の拡大表示の機能を割り当ててもよい。
【００４８】
操作部２５の半押し操作によって実行される機能が露出調節動作を制限または禁止する機能（ＡＥロック）であるときに操作部２５の半押し操作が行われると、ボディ制御部２１は、ＡＥロックにより設定された条件（シャッター速度や絞り値、ＩＳＯ感度）での画像の表示を開始させる機能を、レンズ側操作部３４に割り当ててもよい。この場合、ボディ制御部２１は、操作部２５が半押し操作された状態で、操作部材３５の回転量が所定の閾値を超えた場合、ＡＥロックにより設定されたシャッター速度や絞り値、ＩＳＯ感度の場合の画像を、表示部２４に表示させる。
【００４９】
（変形例３）
ボディ制御部２１は、レンズ側操作部３４にＩＳＯ感度の変更機能を予め割り当てておき、操作部２５の半押し操作が行われた場合に、カメラ１が自動的にＩＳＯ感度を調整する機能（感度自動調整）のＯＮ／ＯＦＦ（有効／無効）機能を、レンズ側操作部３４に割り当ててもよい。この場合、ボディ制御部２１は、操作部材３５の操作方向に応じて、感度自動調整のＯＮ／ＯＦＦを行ってもよい。例えば、ボディ制御部２１は、操作部２５の半押し操作を維持したまま、操作部材３５が一方の方向に所定の閾値を超えて回転された場合、ＩＳＯ感度の変更は行わずに、感度自動調整を実行（ＯＮ）する。感度自動調整の開始後に操作部材３５が操作されると、ボディ制御部２１は、操作部材３５の操作に基づき、感度自動調整により設定可能なＩＳＯ感度の範囲を変更する。
【００５０】
ボディ制御部２１は、操作部２５の半押し操作を維持したまま、操作部材３５が他方の方向に所定の閾値を超えて回転された場合、ＩＳＯ感度の変更は行わずに、感度自動調整を停止（ＯＦＦ）する。感度自動調整の停止後に操作部材３５が操作されると、ボディ制御部２１は、操作部材３５の操作に応じてＩＳＯ感度を変更する。
【００５１】
（変形例４）
ボディ制御部２１は、操作部２５の半押し操作によって実行される機能がＡＥロック機能であるときに操作部２５の半押し操作が行われた場合、操作部材３５の操作方向に応じて制御する機能を変更してもよい。例えば、ボディ制御部２１は、操作部２５の半押し操作を維持したまま、操作部材３５が一方の方向に所定の閾値を超えて回転された場合、レンズ側操作部３４に露出補正機能を割り当てる。レンズ側操作部３４に露出補正機能が割り当てられた後に操作部材３５が操作されると、ボディ制御部２１は、操作部材３５の操作に基づいて露出補正を行う。
【００５２】
ボディ制御部２１は、操作部２５の半押し操作を維持したまま、操作部材３５が他方の方向に所定の閾値を超えて回転された場合、レンズ側操作部３４にホワイトバランス調整機能を割り当てる。レンズ側操作部３４にホワイトバランス調整機能が割り当てられた後に操作部材３５が操作されると、ボディ制御部２１は、操作部材３５の操作に基づいてホワイトバランス調整を行う。
【００５３】
なお、ボディ制御部２１は、操作部２５の半押し操作を維持したまま、操作部材３５が他方の方向に所定の閾値を超えて回転された場合に、レンズ側操作部３４に、画像のコントラストや明るさ等の画像の仕上がり具合の変更機能を割り当てるようにしてもよい。レンズ側操作部３４に画像の仕上がり具合の変更機能が割り当てられた後に操作部材３５が操作されると、ボディ制御部２１は、操作部材３５の操作に基づいて、画像の仕上がり具合を設定する。
【００５４】
（変形例５）
ボディ制御部２１は、操作部２５の半押し操作によって実行される機能が焦点調節動作を制限または禁止する機能（ＡＦロック）及びＡＥロック機能であるときに操作部２５の半押し操作が行われた場合、操作部材３５の操作方向に応じて制御する機能を変更してもよい。例えば、ボディ制御部２１は、操作部２５の半押し操作を維持したまま、操作部材３５が一方の方向に所定の閾値を超えて回転された場合、表示部２４に画像の拡大表示を開始させる。画像の拡大表示の開始後に操作部材３５が操作されると、ボディ制御部２１は、操作部材３５の操作に基づいてピント調整を行う。
【００５５】
ボディ制御部２１は、操作部２５の半押し操作を維持したまま、操作部材３５が他方の方向に所定の閾値を超えて回転された場合、レンズ側操作部３４に、ＡＦロック及びＡＥロックにより設定された条件での画像の表示を開始させる機能を割り当てる。ＡＦロック及びＡＥロックにより設定された条件での画像の表示が開始された後、操作部材３５が操作されると、ボディ制御部２１は、操作部材３５の操作に基づいて露出補正を行う。
【００５６】
（変形例６）
ボディ制御部２１は、操作部（ファンクションボタン）２６に対する操作に基づいて、レンズ側操作部３４に割り当てる機能を変更してもよい。ボディ制御部２１は、操作部２６から出力される信号に基づき操作部２６に対する操作が行われたことを検出した場合に、レンズ側操作部３４に割り当てる機能を変更してもよい。
【００５７】
（変形例７）
上記の実施の形態では、アクセサリとしてカメラの交換レンズ（レンズ部）を例に挙げて説明したが、アクセサリは交換レンズに限らない。例えば、カメラボディと交換レンズとの間に装着され、交換レンズの焦点距離を変更するテレコンバータやワイドコンバータ、接写リングなどでもよい。あるいは、上述したカメラボディのマウント規格に他のマウント規格の交換レンズを含むアクセサリを装着可能にするマウントアダプタなどにも適用できる。カメラボディのマウントに装着して使用するアクセサリであればいずれにも同様に適用できる。
【００５８】
本発明は上記の内容に限定されるものではない。本発明の技術的思想の範囲内で考えられるその他の態様も本発明の範囲内に含まれる。
【符号の説明】
【００５９】
１  撮像装置、２  カメラボディ、３  レンズ部、３２  レンズ側制御部、３４  レンズ側操作部、２１  ボディ制御部、２４  表示部、２５  操作部、２６  操作部
【図１】
2020140019.tif 000003
【図２】
2020140019.tif 000004
【図３】
2020140019.tif 000005
【図４】
2020140019.tif 000006